(57)【要約】      （修正有）【課題】電動力を使用することなく、手軽に沈殿物を除去することができるとともに、手動による水中沈殿物除去具の提供。【解決手段】除去具ホース内を真空にすることによって、水中の沈殿物を前記排出パイプの先端に、その両端を塞いだ筒体よりなり、この筒体の周壁面に給水用の穴を設けた吸口体を配置することで水中沈殿物除去具とした。除去具ホースの排水口の栓を操作することにより吸排水が可能となり、吸口体の穴から沈殿物を吸引して、槽外に排出するものである。【選択図】図１
2004344625.tif 000002
【特許請求の範囲】
【請求項１】
先端を栓５で塞ぐことができる排水ホース４を柄部３の内側に通し、その先端に配設された両端を塞いだ筒体の周壁面に吸水用の穴を設けた吸口体２からなる水中沈殿物除去具。
【請求項２】
請求項１で、排水ホース４の一端に配設された両端を塞いだ筒体の周壁面の吸水用の穴７を設けた筒体の周辺部に壁面清掃用の清掃用品１２を設けた吸口体２をもつ水中沈殿物除去具。
【請求項３】
請求項１で、その吸口体２の柄部３との接続部位から柄部３の内側を通さずに独立して配設けた排水パイプ４をもち、２つの柄部の接続を可能にして柄部３の長さの調節なできる水中沈殿物除去具。
【発明の詳細な説明】
【０００１】
【発明の属する技術分野】
本発明は、排水ホース及び吸口体の内部を水で充満して内部を真空にすることによって、浴槽などに溜まった沈殿物を水とともに、手軽に排出できるように改善した動力を使わない形の水中沈殿物除去具に関するものである。
【０００２】
【従来の技術】
従来の水中の沈殿物を除去する方式としては、実開平７−３０９５１号公報、特開平７−２５５６６３号公報、特開２０００−８３８７０号公報がある。
実開平７−３０９５１号公報に示すものは、モータなどの動力で作動する装置を水中に沈めて、これ接続した排水ホースと操作部のみが、水上に露出される水中掃除機である。また、特開平７−２５５６６３号公報は動力部分をまとめて水上に置くとともに、水中には吸水する掃除ヘッド部のみを入れて、沈殿物を吸引し、水上のダストボックスに収集するものである。更に、特開２０００−８３８７０号公報はモータ等の動力部とコントロールボックスとを槽外に配設し、コントロールボックスからの操作による掃除機部分を水中に沈めて自走させるとともに、掃除機部分とコントロールボックス間は、ケーブルで接続したものである。
【０００３】
【発明が解決しようとする課題】
上記に示したような従来の技術はモータやこれを作動させる電源などが必要になるばかりでなく、これらの部品の配置や重量によっては装置が大型になり、手軽に操作できないという欠点があった。
特に、装置全体を沈める実開平７−３０９５１号公報に示すしたものは、動力部分の防水対策が必要であり、複雑な構造になるという欠点があった。
また、コントロールボックスと掃除機部分をケーブルで接続した特開２０００−８３８７０号公報に示すものは、掃除機部分を自走させるために複雑で高価になるという欠点があった。
本発明は、このような不具合を解消させるためになされたものであり、電動力を使用することなく手軽に水中にある沈殿物を除去することができる簡易な水中沈殿物除去具を提供するものである。
【０００４】
【課題を解決するための手段】
上記の不具合を解決するために、本発明は次のような構成としている。
請求項１に記載した水中沈殿物除去具は、
（１）吸口体２、柄部３及び排水ホース４からなっている。
（２）排水ホース４の一端は柄部３の内側を通して吸口体２と接続され、他端はそのホース穴を塞ぐための栓５及び栓ホルダー６が取り付けられている。
（４）吸口体２は筒本体にＴ字形に直交する方向に延出した排水ホース４接続用の筒体を設けている。また、筒本体の両端は塞がれて中心部は沈殿物吸引用のスリット穴７を設けている。
請求項２に記載した沈殿物除去具は、請求項１に記載した筒形の吸口体２の周壁面に、壁面清掃用の清掃用品１２を配設したものである。
請求項３に記載した水中沈殿物除去具は、請求項１及び２と同じ作用となるが、排水ホース４を柄部３の内側を通さず、吸口体２のホース接続筒部側面から直接排水ホース４を接続し柄部３とは独立した形をとっている。柄部３は長さが調節できるように固定柄部８と移動柄部９からなり、両柄部を接続するための接続器具１０からなっている。
【０００５】
【発明の実施の形態】
本発明について、図面を参照にして説明する。図１は本発明の水中沈殿物除去具を示す分解斜視図である。
図１に示すように、本発明の水中沈殿物除去具は吸口体２とそこから吸い上けた水と沈殿物を外に出すためのと排水パイプ４及び柄部３とからなっている。
本発明の水中沈殿物の除去作用は、まず吸口体２、排水ホース４及び柄部３を浴槽１３内の水中に沈めることによって吸口体２及び排水ホース４の内部に水を充満させ、それぞれの内部の空気を抜いて真空状態にする。その状態で排水ホース４の先端を栓５で塞ぐと、真空状態を保ったままで排水パイプ４のを浴槽１３外に出すことができる。
この排水パイプ４の栓５の位置を浴槽１３の水面より低い位置にしてから、排水パイプ４の栓５を抜くと排水パイプ４の中は真空状態になっているので、浴槽１３内の水面の圧力に押されて、浴槽１３内の水が排水ホース４から浴槽１３外に排出されるようになる。この排水と同時に浴槽１３内の沈殿物が一緒に混じって吸引され浴槽１３外に除去される。
【０００６】
図２は本発明の水中沈殿物除去具の排水パイプ４を柄部５の内部を通さず、直接吸口体２と接続し、柄部３と独立した形にしたものを示す。そのため、図１に示した柄部５の内部は空洞となり、吸口体２から直接接続された排水ホース４のみを通して水を浴槽１３外に出すようになる。柄部３の内部はパイプが通っていないため柄部３の長さを自由に調節できるようになる。すなわち移動柄部９と固定柄部８の接続部分はねじ締め方式の接合部品１０で簡単に調節が可能となる。
【０００７】
吸口体２について図を参照にして説明する。図３は図１及び図２で示した吸口体２の斜視図であり、図４は図３のＡ−Ａ断面図を示す吸口体２の説明図である。
図３で示すように吸口体２はＴ字形の筒本体とこの筒本体に設けたスリットの穴７とからなる。この筒本体は図４で示すようにその両端を塞いだ筒状の中心部で、この筒体と直交する方向に延出した別の筒体とを一体化した筒体を排水ホース４取り付け口となっている。
穴は両端が塞がれた筒体の長手方向外周壁にそって設けられている。この穴７はスリット状で図示しているが、複数の孔を一列に配列した穴でも良いし、沈殿物を吸引できる穴であれば、特にその形状にはこだわるものではない。
【０００８】
吸口体２の他の例について、図面を参照して説明する。図５で示すように他の例で示す吸口体２は、図４の例と同様にはＴ字形の筒体よりなる筒本体とこの筒本体に設けた吸水用の穴２とからなり、穴２の周囲に清掃用品１２を設けたことが特徴である。
この清掃用品１２は貼り付けることにより、水槽１３などの底面を擦るように動かすことで、付着した汚れを落としながら、その汚れと沈殿物との両方を穴から吸い込んで排出することができる。
【０００９】
このように構成した水中沈殿物除去具の使用例について、図面を参照して説明する。図６は沈殿物除去具の使用例を示す説明図である。
本発明の沈殿物除去具について、浴槽での使用例を説明する。図６で示すように沈殿物除去具は吸口体２を浴槽１３内に入れて排水ホースを浴槽１３外に出すとともに、その先端部を風呂場床１５面に配置して使用する。
沈殿物１４を除去するには、排水ホース４から浴槽１３内の水が排出しはじめたら、本水中沈殿物除去具を浴槽１３の底面にそって吸口体２を移動させると沈殿した汚れとともに吸水して、これらを排水ホース４から排出させることができるのである。この排水は動力などを使用せず、一旦排出が始まると自動的に続けることができるため、省エネで沈殿物を除去することができるようになる。
また、この吸口体２にスポンジ上の清掃用品１２を設けたものは、吸口体２を擦るように動かすことで、沈殿物だけでなく付着した汚れも同時に除去することができるのである。
【００１０】
本発明の水中沈殿物除去具について、浴槽１３内の沈殿物１４を除去する例で説明したが、浴槽１３内だけでなく池や大型の水槽などにも使用することができる。
例えば魚まどを入れる水槽は、その底面に砂利等を敷き詰めているが、吸口体の穴を覆うように網状のシートを配設することにより、砂利を除いて沈殿物と少量の汚れた水とを除去することができる。
また、本具を小型化すれば、小型の水槽などにも使用できるし、吸口体の形状を当て付ける壁面の形状に合わせることにより、球面や曲面などの壁面にも使用することができるのである。
【００１１】
【発明の効果】
以上に説明したように本発明によれば、ホース内の空気を抜いて真空状態にして沈殿物を除去するようにしたことにより、以下の効果を得ることができた。
すなわち、浴槽であれば沈殿物を除去することにより、その都度全体の水を入れ替えすることが必要なくなり、水道料金の節約ができるようになるとともに、水不足に対する節水にも役立つようになる。
また、いったんホース内の水を抜き、ホース内を真空にしてしまえば、沈殿物の除去が終わるまで水を吸い込むための操作を行う必要なく、人の手間もかからず、その分水中の沈殿物除去に神経を集中されることができる。
本発明品は軽量で風呂場の隅にでも置くことができるから、収納の問題もあまりなく、その取り扱いも手軽にできるなどの効果もある。
更に本水中沈殿物除去具は装置の大きさを小型化したりすれば、小型の水槽などにも使用できるし、吸口体の形状を変えると、球面や曲面など当て付ける壁面の形状に合わせたものにも使用できるようになるなどの効果がでる。
【図面の簡単な説明】
【図１】本発明の水中沈殿物除去具を示す分解斜視図である。
【図２】本発明の水中沈殿物除去具の排出ホース独立型の斜視図である。
【図３】図１で示す吸口体の斜視図である。
【図４】図３で示すＡ−Ａ断面図を示す吸口体の説明図である。
【図５】吸口体の他の例を示す説明図である。
【図６】水中沈殿物除去具の使用例を示す説明図である。
【符号の説明】
１  水中沈殿物除去具
２  吸口体
３  柄部
４  排水ホース
５  栓
６  栓ホルダー
７  吸口体穴
８  固定柄
９  移動柄
１０  柄接合器
１１  グリップ
１２  清掃用具
１３  浴槽
１４  沈殿物
１５  浴槽床面
【図１】
2004344625.tif 000003
【図２】
2004344625.tif 000004
【図３】
2004344625.tif 000005
【図４】
2004344625.tif 000006
【図５】
2004344625.tif 000007
【図６】
2004344625.tif 000008